【事件の表示】
　特許第２９２８４３０号「記録再生装置」の特許に対する特許異議の申立てについて、次のとおり決定する。
【結　論】
　訂正を認める。
　特許第２９２８４３０号の請求項１ないし２に係る特許を維持する。
【理　由】
１．手続の経緯
　特許第２９２８４３０号の請求項１ないし２に係る発明についての出願は、平成４年９月２５日に特許出願され、平成１１年５月１４日にその特許の設定登録がなされ、その後、異議申立人小塚浩より特許異議の申立てがなされ、取消理由通知がなされ、その指定期間内である平成１２年６月２７日に訂正請求がなされたものである。
　
２．訂正の適否についての判断
ア．訂正明細書の請求項１ないし２に係る発明
　訂正明細書の請求項１ないし２に係る発明は、その特許請求の範囲の請求項１ないし２に記載された次のとおりのものである。（以下、「本件発明１」ないし「本件発明２」という。）
「【請求項１】　ディスクに記録されるべきデータを一時的に蓄えておくメモリと、
　入力されたデータの前記メモリに対する書込及び読出と該書込及び読出の際に信号変換を行う記録用信号処理回路とを備え、ディスクに記録するためのデータが入力されてから当該データが前記記録用信号処理回路及び前記メモリを経てディスクに記録されるまでに所定の遅延時間を経過せしめる記録再生装置において、
　記録停止要求が発生した時点から少なくとも前記遅延時間経過後に停止すること
によって前記記録停止要求が発生した時点に入力されたデータをもディスクに記録すること
　　【請求項２】　前記メモリが、ディスクから再生された再生信号を一時的に蓄えておくものであり、
　ディスクから再生されたデータの前記メモリに対する書込及び読出と該書込及び読出の際に信号変換を行う再生用信号処理回路とを備える請求項１記載の記録再生装置において、
　再生停止要求が発生したときに前記ディスクからの信号再生と前記再生用信号処理回路による前記メモリからの再生信号の読出および再生データへの信号変換とを同時に停止させることを特徴とする記録再生装置。」
　
イ．訂正の内容
　特許権者が求めている訂正の内容は、以下のとおりである。
（１）訂正事項ａ
　請求項１「ディスクに記録されるべきデータを一時的に蓄えておくメモリと、
　入力されたデータの前記メモリに対する書込及び読出と該書込及び読出の際に信号変換を行う記録用信号処理回路とを備え、ディスクに記録するためのデータが入力されてから当該データが前記記録用信号処理回路及び前記メモリを経てディスクに記録されるまでに所定の遅延時間を経過せしめる記録再生装置において、
　記録停止要求が発生した時点から少なくとも前記遅延時間経過後に停止することを特徴とする記録再生装置。」を、
「ディスクに記録されるべきデータを一時的に蓄えておくメモリと、
　入力されたデータの前記メモリに対する書込及び読出と該書込及び読出の際に信号変換を行う記録用信号処理回路とを備え、ディスクに記録するためのデータが入力されてから当該データが前記記録用信号処理回路及び前記メモリを経てディスクに記録されるまでに所定の遅延時間を経過せしめる記録再生装置において、
　記録停止要求が発生した時点から少なくとも前記遅延時間経過後に停止すること
によって前記記録停止要求が発生した時点に入力されたデータをもディスクに記録すること
　
ウ．訂正の目的の適否、新規事項の有無及び拡張・変更の存否
　上記訂正事項ａは、出願当初の明細書の段落【００１１】、【００１２】、【００１３】の記載に基づくものであり、請求項１の「・・・（略）・・・、記録停止要求が発生した時点から少なくとも前記遅延時間経過後に停止することを特徴とする記録再生装置。」を特許請求の範囲の減縮を目的として、「・・・（略）・・・、記録停止要求が発生した時点から少なくとも前記遅延時間経過後に停止すること
によって前記記録停止要求が発生した時点に入力されたデータをもディスクに記録すること
　したがって、上記訂正事項ａは、特許請求の範囲の減縮を目的とする訂正であって、新規事項の追加に該当せず、実質上特許請求の範囲を拡張し、又は変更するものではない。
　
エ．むすび
　以上のとおりであるから、上記訂正請求は、特許法の一部を改正する法律（平成６年法律第１１６号）附則第６条第１項の規定によりなお従前の例によるとされる、特許法第１２０条の４第２項及び同条第３項にて準用する第１２６条第２，３項の規定に適合するので、当該訂正を認める。
　
３．特許異議申立てについての判断
ア．本件発明
　上記「２．訂正の適否についての判断」の「「ア．訂正明細書の請求項１ないし２に係る発明」で認定したとおりのものであるので、これを援用する。
　
イ．当審の取消理由通知及び申立て理由の概要
　当審の取消理由通知は、後述の異議申立人が提出した甲第１号証を引用して、本件請求項１ないし２に記載された発明は特許法第２９条第２項の規定に違反してなされたというべきものである、とするものである。
　そして、異議申立人小塚浩は、証拠として甲第１号証及び甲第２号証を提出し、請求項１ないし２に記載された発明に係る特許は、甲第１号証または甲第２号証の刊行物に記載された発明と同一であるか、甲第１号証及び甲第２号証の刊行物に記載された発明に基いて当業者が容易に発明できたものであり、特許法第２９条第１項第３号または特許法第２９条第２項の規定に違反してなされたものであるから請求項１ないし２に記載された発明の特許は取り消されるべき旨主張している。
　　
　以下に、当審取消理由と異議申立理由とを併せて検討する。
　
ウ．取消理由通知に引用された刊行物記載の発明及び申立人が提出した甲各号証記載の発明
　当審の取消理由に引用された刊行物（以下「刊行物１」という。）及び異議申立人小塚浩が提出した甲第１号証（上記「刊行物１」に同じ）、甲第２号証（以下「刊行物２」という。）の刊行物には、以下の事項が記載されている。
（１）刊行物１（甲第１号証、特開昭６２−１７７７５７号公報）
　刊行物１には、「画像情報記録装置」に関する発明について以下の記載がある。
・「例えば、従来の撮影用ＶＴＲ装置においては、特に静止画像を撮影するための機能は特に付加されておらず、静止画像を再生する必要のあるときには、静止モードにして、テープ上に記録された動画像の中から１フィールド或いは１フレーム分の画像をとり出していた。
［発明が解決しようとする問題点］
　ところが、上記のように動画像信号から１フレーム分の信号をとり出して静止画像を再生すると、その画像が動画像信号として再生すれば本来十分鑑賞に耐える画質であっても、静止画像とすると視覚上においてＳ／Ｎが劣化し、画像にブレが生じる。」（公報第１頁下右欄第７行〜第１９行）
・「第１図は、本発明の一実施例にかかる撮影用ＶＴＲ装置のブロック図である。」（公報第２図上右欄第１５行〜第１６行）
・「７はピクチャーメモリーであって、Ａ／Ｄ変換器でディジタル信号に変換された撮像信号を（フレーム期間或いはフィールド期間を単位として）記憶する。」（公報第２頁下左欄第２０行〜下右欄第３行）
・「１８は、ピクチャーメモリドライバであって、システムコントローラ１８からの制御信号に基づいてピクチャーメモリー７を駆動する。
　８はＰｕｌｓｅ　Ｃｏｄｅ　Ｍｏｄｕｒａｔｉｏｎ（ＰＣＭ）エンコーダーであって、ピクチャーメモリー７からのディジタル撮像信号を、記録媒体としての磁気テープ２０に記録するようにコード化する。」（公報第２頁下右欄第４行〜第１０行）
・「１３は回転磁気ヘッド、１２は記録フォーマッティング回路であって、ＦＭ変調回路４からの輝度信号および低域変換回路５からの色信号を動画像信号として入力し、ＰＣＭエンコーダ８からのＰＣＭ信号を静止画像信号として入力し、さらにＦＭ変調回路１１からの音声信号を入力して、これらを磁気テープ２０に記録するに適するような信号にフォーマッティングする。例えば、いわゆる８ミリビデオの規格に対応させた場合には、動画像信号と音声信号とは周波数多重され回転磁気ヘッド１３によって磁気テープ２０のビデオ＋ＦＭオーディオトラックに記録し、静止画像信号は回転磁気ヘッド１３によって磁気テープ２０において該ビデオ＋ＦＭオーディオトラックの延長上トラック（ＰＣＭオーディオトラック）に記録する。」（公報第２頁下右欄第１５行〜第３頁上左欄第９行）
・「したがって静止画記録をしたあと、所望の静止画を再生する必要のあるとき」（公報第３頁上右欄第１３行〜第１５行）
・「またスイッチ１９が押されていないときは、システムコントローラ１６によって静止画像信号を、連続的にテープの延長ビデオトラックに記録する。
　その場合、撮像信号は、一旦記録されたピクチャーメモリー７から記憶時より長い時間をかけてとりだされる」（公報第３頁上右欄第２０行〜下左欄第６行）
・「すなわち、スイッチオフの時点から、動画の撮影開始から静止画像信号の１画面記録に要する最小時間の自然数倍の時間に最初に到達した時点でステップ１０３にすすみ、動画記録および静止画記録を停止する。」（公報第３頁下右欄第５行〜第９行）
・「静止画の画面が未完結のまま記録が停止することはない。」（公報第３頁下右欄第１４行〜第１５行）
　
（２）刊行物２（甲第２号証、特開平４−４７８７８号公報）
　刊行物２には、「ディジタル信号の記録再生方式」に関する発明について以下の記載がある。
・「マル３　信号種類のデータ
　輝度信号Ｙ、・・・制御コード部は、各モードコード部に続いて設けられる。つまり、各圧縮期間に４個設けられる。・・・各圧縮基準期間における４個の制御コード部には、同一のデータが配される。この制御コード部には、次の圧縮基準期間に配される画像データの伸長用のマイクロコード等が配され、再生時にどのような圧縮方式にも対応できるようにされる。・・・シーンチェンジがあるときには、圧縮基準期間の途中時点（第６図の時点ｔｃ参照）で、画像データの記録状態がリセットされる。つまり、時点ｔｃから、画像領域にはシーンチェンジ後の基準画像データＶＢＮ＋２、差分圧縮画像データ△ｃ１、△ｃ２・・・が順次配されて記録される。・・・第１図は、第４図および第６図に示すような記録データを、ＤＡＴでもって記録再生する際に使用される信号処理装置の一例を示すものである。・・・、垂直同期信号ＶＤＲ、水平同期信号ＨＤＲが基準同期信号として供給される。」（公報第４頁上右欄第１９行〜第５頁下右欄第３行）
・「ＲＡＭ１７ａ〜１７ｃには、それぞれ切換スイッチａ〜ｃ側に接続されている１フレーム期間に、信号Ｙ、Ｕ、Ｖのそれぞれに関して、水平方向に２５６個、垂直方向に２４０個のサンプルデータが書き込まれる。」（公報第５頁下右欄第１２行〜第１６行）
・「ＲＡＭ１７ａより読み出される信号は、切換スイッチ１８ａ、１８ｂ、１８ｃの、それぞれａ側、ａ側、ｃ側の固定端子に供給される。・・・切換スイッチ１８ａ〜１８ｃは、コントローラ１１０でもって切換制御される。・・・切換スイッチ１８ａ〜１８ｃの出力信号は、それぞれ画像圧縮部１９に供給される。この画像圧縮部１９の動作はコントローラ１１０によって制御される。」（公報第５頁下右欄第２０行〜第６頁上左欄第１９行）
・「各圧縮基準期間に画像圧縮部１９で形成される基準画像データＶＢＮおよび差分圧縮画像データ△ｃ１〜△ｃ２９は、接続スイッチ２０および切換スイッチ２１を介してビデオＲＡＭ２２ａ〜２２ｃに供給されて、所定のアドレスに順次書き込まれる。」（公報第６頁上右欄第１６行〜第２０行）
・「ビデオＲＡＭ２２ａ〜２２ｃの書き込み読み出しは、ＲＡＭコントローラ１２０によって制御される。」（公報第６頁下左欄第７行〜第９行）
・「次に、再生系について説明する。ＤＡＴ１３０より再生される第４図および第６図に示すようなデータは、分離回路４１に供給される。」（公報第７頁下右欄第１２行〜第１５行）
・「また、分離回路４１より分離される各圧縮基準期間の基準画像データＶＢＮおよび差分圧縮画像データ△ｃｌ〜△ｃ２９は、・・・ビデオＲＡＭ２２ａ〜２２ｃに供給されて、所定のアドレスに順次書き込まれる。」（公報第８頁上右欄第６行〜第１１行）
・「ビデオＲＡＭ２２ａ〜２２ｃの書き込み読み出しは、ＲＡＭコントローラ１２０によって制御される。」（公報第８頁上右欄第１８行〜第２０行）
・「画像伸長部４６の動作は、上述したように制御コードに基づきコントローラ１１０によって制御され、画像圧縮部１９と逆の処理が行なわれる。」（公報第８頁下左欄１７行〜第１９行）
・「次に、ステップ５７で、前の圧縮基準期間にビデオＲＡＭに書き込まれた圧縮画像データを順次読み出して画像伸長部４６で伸長処理を開始する。そして、・・・モニタ（図示せず）に画像を表示する。次に、ステップ５８で、同期コード１が入力されたか否か判断される。同期コード１が入力されるときには、ステップ５９で、キーボード１４０の停止キーがオンか否か判断される。停止キーがオンでないときには、ステップ５６に戻って上述した動作を繰り返し、一方、停止キーがオンであるときには、再生動作を停止する。」（公報第９頁下右欄第５行〜第１６行）
　
エ．対比、判断
（１）本件発明１について
　まず、本件発明１と上記刊行物１記載の発明とを、本件発明１の構成である「記録停止要求が発生した時点から少なくとも前記遅延時間経過後に停止すること
によって前記記録停止要求が発生した時点に入力されたデータをもディスクに記録すること
　刊行物１には、上記注目した構成に対応するものとして「スイッチオフの時点から、動画の撮影開始から静止画像信号の１画面記録に要する最小時間の自然数倍の時間に最初に到達した時点でステップ１０３にすすみ、動画記録および静止画記録を停止する」という構成があると認められる。すなわち、刊行物１記載の上記構成は、間欠的、規則的に記録されている静止画の記録を未完結のまま停止することなしに記録するために、静止画の記録終了時に合わせて連続的に記録されている動画の記録を終了させるものである。ここで、「スイッチ」は動画の記録の開始、終了のために設けられたものであり、静止画のタイミング、少なくとも記録開始のタイミングを制御できるものではないと認められる。
　したがって、刊行物１記載の発明においては、動画の記録のスイッチオフ（本件発明１の「記録停止要求」に相当）が発生した時点から少なくとも前記遅延時間経過後に停止するが、上記のとおりスイッチオフは静止画の記録開始のタイミングには無関係であるので、一般的に、記録停止要求が発生した時点での画像は静止画としては記録できないものと認められる。
　これに対して、本件発明１では、「ディスクに記録されるデータ」の記録停止要求であるので、「
記録停止要求が発生した時点に入力されたデータをもディスクに記録すること
　本件発明１は、上記注目した構成を有することにより、データの圧縮や伸長などの処理を可能とするためのメモリを備えているにもかかわらず記録停止要求が生じたときにそのメモリ内に存在する記録されるべきであったデータの記録漏れを生じることのない記録再生装置を提供することができる、という特有の効果を生じるものであるから、本件発明１が刊行物１記載の発明と実質的に同一であるとすることはできず、また、本件発明１が刊行物１に記載された発明に基いて当業者が容易に発明できたものであるとすることもできない。
　
　次に、本件発明１と上記刊行物２記載の発明とを対比すれば、刊行物２には上記注目した構成に関する記載もしくは示唆もない。したがって、上記注目した構成を有することによって上記特有の効果を有する本件発明１と、刊行物２記載の発明を実質的に同一であるとすることはできず、また、本件発明１が刊行物２に記載された発明に基いて当業者が容易に発明できたものであるとすることもできない。
　
　また、刊行物１及び刊行物２のいずれにも、上記注目した構成の記載もしくは示唆がない以上、刊行物１の発明に刊行物２記載の発明を組み合わせたところで、上記注目した構成が創出されると認めることは到底できず、本件発明１が刊行物１及び刊行物２に記載された発明に基いて当業者が容易に発明できたものであるとすることはできない。
　
（２）本件発明２について
　本件発明２は、本件発明１の構成を主要部とするものであるから、上記（１）と同じ理由により、本件発明２が刊行物１或いは刊行物２に記載された発明と実質的に同一であるとはすることはできないし、刊行物１或いは刊行物２に記載された発明に基いて当業者が容易に発明できたものであるともすることができないし、刊行物１及び刊行物２に記載された発明に基いて当業者が容易に発明できたものであるともすることができない。
　
オ．むすび
　以上のとおりであるから、当審の取消理由並びに特許異議申し立ての理由及び証拠によっては、本件請求項１ないし２に係る発明の特許を取り消すことができない。
　また、他に本件請求項１ないし２に係る発明についての特許を取り消すべき理由を発見しない。
　
　よって、結論のとおり審決する。
【異議決定日】
平成１２年７月２４日（２０００．７．２４）
【訂正の要旨】
（１）訂正事項
　特許請求の範囲の請求項１「ディスクに記録されるべきデータを一時的に蓄えておくメモリと、
　入力されたデータの前記メモリに対する書込及び読出と該書込及び読出の際に信号変換を行う記録用信号処理回路とを備え、ディスクに記録するためのデータが入力されてから当該データが前記記録用信号処理回路及び前記メモリを経てディスクに記録されるまでに所定の遅延時間を経過せしめる記録再生装置において、
　記録停止要求が発生した時点から少なくとも前記遅延時間経過後に停止することを特徴とする記録再生装置。」
を、特許請求の範囲の減縮を目的として、
「ディスクに記録されるべきデータを一時的に蓄えておくメモリと、
　入力されたデータの前記メモリに対する書込及び読出と該書込及び読出の際に信号変換を行う記録用信号処理回路とを備え、ディスクに記録するためのデータが入力されてから当該データが前記記録用信号処理回路及び前記メモリを経てディスクに記録されるまでに所定の遅延時間を経過せしめる記録再生装置において、
　記録停止要求が発生した時点から少なくとも前記遅延時間経過後に停止すること
によって前記記録停止要求が発生した時点に入力されたデータをもディスクに記録すること
と訂正する。
（５４）【発明の名称】
記録再生装置
（５７）【特許請求の範囲】
　【請求項１】
　ディスクに記録されるべきデータを一時的に蓄えておくメモリと、
　入力されたデータの前記メモリに対する書込及び読出と該書込及び読出の際に信号変換を行う記録用信号処理回路とを備え、
　ディスクに記録するためのデータが入力されてから当該データが前記記録用信号処理回路及び前記メモリを経てディスクに記録されるまでに所定の遅延時間を経過せしめる記録再生装置において、
　記録停止要求が発生した時点から少なくとも前記遅延時間経過後に停止すること
によって前記記録停止要求が発生した時点に入力されたデータをもディスクに記録すること
　【請求項２】
　前記メモリが、ディスクから再生された再生信号を一時的に蓄えておくものであり、
　ディスクから再生されたデータの前記メモリに対する書込及び読出と該書込及び読出の際に信号変換を行う再生用信号処理回路とを備える請求項１記載の記録再生装置において、
　再生停止要求が発生したときに前記ディスクからの信号再生と前記再生用信号処理回路による前記メモリからの再生信号の読出および再生データヘの信号変換とを同時に停止させることを特徴とする記録再生装置。
【発明の詳細な説明】
　【０００１】
　【産業上の利用分野】
　本発明は記録再生装置に関し、特に、ディスクヘのデータの記録やそこからの再生に際してデータの圧縮や伸張などの処理を行うためにそれらのデータを一時的に蓄えておくメモリを備えた記録再生装置に関するものである。
　【０００２】
　【従来の技術】
　記録再生に際してデータの圧縮や伸張などの処理を行うためにそれらのデータを一時的に蓄えておくメモリを備えていない記録再生装置においては、記録停止要求が生じたときには即座にデータのディスクヘの記録を停止し、再生停止要求が生じたときにも即座にディスクからのデータの再生を停止するように実時間による記録再生の制御を行えばよかった。
　【０００３】
　【発明が解決しようとする課題】
　しかし、記録再生時にデータの圧縮や伸張などの処理を可能にするためのメモリを備えた記録再生装置においては、実時間による制御を行えば、再生の場合には再生停止要求が生じたときにディスクから再生されたデータのメモリヘの書込及びそのメモリからの読出を同時に停止してもメモリ内に残ったデータは再生する必要のないものであるので問題を生じないが、記録の場合には記録停止要求が生じたときにメモリからのデータの読出およびディスクヘのデータの記録を同時に停止すれば、記録されるべきであったデータがメモリ内に残された状態となってしまう。
　【０００４】
　以上のような先行技術における課題に鑑み、本発明の目的は、データの圧縮や伸張などの処理を可能にするためのメモリを備えた記録再生装置において、記録停止要求が生じたときにそのメモリ内に存在する記録されるべきであったデータの記録漏れを生じることのない記録再生装置を提供することである。
　【０００５】
　【課題を解決するための手段】
　本発明による記録再生装置は、ディスクに記録されるべきデータを一時的に蓄えておくメモリと、入力されたデータの前記メモリに対する書込及び読出と該書込及び読出の際に信号変換を行う記録用信号処理回路とを備え、ディスクに記録するためのデータが入力されてから当該データが前記記録用信号処理回路及び前記メモリを経てディスクに記録されるまでに所定の遅延時間を経過せしめる記録再生装置において、記録停止要求が発生した時点から少なくとも前記遅延時間経過後に停止することを特徴とする記録再生装置である。
　【０００６】
　【作用】
　本発明の記録再生装置においては、記録停止要求が発生したときにその時点においてメモリ内に一時的に蓄えられているデータのすべてを記録用信号処理回路が読出してディスクヘの信号記録を完了した後にのみディスクヘの信号記録を停止させるように制御手段がシステム全体を制御するので、記録停止要求が生じる直前に入力されて記録されるべきであったデータがディスクに記録されることなくメモリ内に残されるという問題を解消することができる。
　【０００７】
　【実施例】
　図１は、本発明による一実施例による記録再生装置を概略的に示すブロック図である。この記録再生装置は、ディスクを含む記録再生メカニズム１と、記録用信号処理回路２と、制御用マイコン３と、メモリ４と、再生用信号処理回路５とを含んでいる。
　【０００８】
　記録されるべきデータ（Ａ）は記録用信号処理回路２に入力される。記録用信号処理回路２は、データの圧縮や伸張などの処理を行うために入力データ（Ａ）を一旦メモリ４内に書込む。そして、記録用信号処理回路２は、メモリ４から順次データを読出すと共に所定の処理をして記録データ（Ｂ）として出力する。
　【０００９】
　一方、再生データは再生用信号処理回路５に入力され、再生用信号処理回路５はデータの圧縮や伸張などの処理を行うために再生データを一旦メモリ４内に書込む。そして、再生用信号処理回路５は、メモリ４から順次データを読出すとともに所定の処理をして再生出力データとして出力する。
　【００１０】
　制御用マイコン３は、記録再生装置のシステム全体の動作タイミングなどを制御するように設けられている。
　【００１１】
　図２は、図１の記録再生装置における記録時のタイミング関係を図解しており、具体的には入力データ（Ａ）と記録データ（Ｂ）の時間関係を示している。図２において、時刻ａ１において記録用信号処理回路２に入力されたデータ入力（Ａ）は、一旦メモリ４に蓄えられた後に信号処理されるので、記録データ（Ｂ）としてディスクヘ実際に記録される時刻はｔだけ遅延された時刻ａ２となる。
　【００１２】
　図３のフローチャートは、図１の記録再生装置における記録時の動作手順の一例を示している。このフローチャートによれば、ステップｎ１において、記録用信号処理回路２にデータが入力され、そのデータ入力（Ａ）はメモリ４に一旦蓄えられた後に記録用信号処理回路２によって信号処理される。ステップｎ２において、記録用信号処理回路２によって信号処理されて出力された記録データ（Ｂ）がディスクに記録される。これらのステップｎ１とｎ２は、ステップｎ３において記録停止要求が検出されるまで繰り返される。ステップｎ３において記録停止要求が検出されたとき、ステップｎ４に進んで記録用信号処理回路２へのデータ入力が停止される。このとき、図２のタイミングチャートにおいて時刻ｂ１に記録停止要求が発生したとすれば、実際にディスクヘの記録が停止されるのは時刻ｂ１ではなくて時刻ｂ２でなければならない。ここで、時刻ｂ２−時刻ｂ１に相当する（図中の斜線を施した）時間（ｂ２−ｂ１）は、時刻ａ２−ａ１の遅延時間（ａ２−ａ１）に対応している。
　【００１３】
　すなわち、もし時刻ｂ１においてディスクヘの実際の記録をも停止させてしまえば、時刻ｂ１の直前の時刻ｂ２−時刻ｂ１に相当する時間（ｂ２−ｂ１）内に既にメモリ４に蓄えられていた記録されるべきデータが、ディスク上に実際に記録されることなくメモリ４内に残されることになる。したがって、ディスクヘの記録は記録停止要求が検出されてから少なくとも遅延時間（ａ２−ａ１）経過後に停止される必要がある。
　【００１４】
　これを実現するために、ステップｎ３において記録停止要求が検出されたときには、ステップｎ４に進んで記録用信号処理回路２へのデータ入力は停止するが、マイコン３はステップｎ５においてディスクヘのデータの記録を引続き行わしめる。このステップｎ５のデータ記録は、メモリ４内にデータが残存している限り繰り返される。
　【００１５】
　その後、ステップｎ６においてメモリ４内にデータが残存していないことがマイコン３によって確認されたとき、ステップｎ７に進んでディスタヘの実際の記録を停止させる。これによって記録停止要求が発生しても、記録されるべきであったデータをメモリ４内に残したままディスクヘの実際の記録が停止されてしまうことはなく、記録停止要求発生前に記録用信号処理回路に既に入力されたデータのすべてがディスクに記録され得る。
　【００１６】
　他方、再生動作の場合には、再生用信号処理回路５から最終的に出力された再生データに基づいて再生停止要求が与えられるので、再生されるべきデータが得られる前に再生が停止されるというような問題を生じない。すなわち、図１のようにメモリ４を備えた記録再生装置であっても、再生時にはマイコン３による実時間に基づいた制御が可能であることが理解されよう。
　【００１７】
　【発明の効果】
　以上のように、本発明によれば、データの圧縮や伸張などの処理を可能にするためのメモリを備えているにもかかわらず記録停止要求が生じたときにそのメモリ内に存在する記録されるべきであったデータの記録漏れを生じることのない記録再生装置を提供することができる。
【図面の簡単な説明】
　【図１】
　本発明の一実施例による記録再生装置を示すブロック図である。
　【図２】
　図１の記録再生装置におけるデータ記録時のタイミング関係を示すタイミングチャートである。
　【図３】
　図１の記録再生装置におけるデータ記録の手順を示すフローチャートである。
　【符号の説明】
１　ディスクを含む記録再生メカニズム
２　記録用信号処理回路
３　制御用マイコン
４　メモリ
５　再生用信号処理回路